(57)【要約】【課題】従来の電源監視装置（回路）は、電圧低下・電圧上昇等の異常は監視できても、瞬間的電圧変動・ノイズ等の瞬時の電源電圧の異常を監視することはできなかった。また、電源異常が発生しても記録しておくことはできなかったので、電源異常により回路が誤動作した場合であっても、電源異常が誤動作の発生要因であることを特定できなかった。【解決手段】この発明に係る電源監視装置（回路）は、電圧変動のみならず波形も取り込み、かつ波形に歪みがないかも確認するようにしたので、従来の電源監視装置（回路）では検出できなかった瞬時の電源電圧の変動を監視することができ、電源異常により回路が誤動作した場合は、メモリの電圧異常の履歴を参照することで、電源異常が誤動作の発生要因であることを特定することができる。これにより、効率的なデバッグが可能になる。【選択図】図３
2011174827.tif 000002
【特許請求の範囲】
【請求項１】
電子回路に供給される電源を監視するための電源監視装置であって、電源の電圧レベルを観測することで電圧低下・電圧上昇を監視する電圧監視部と、電源の波形を取り込むと同時に波形に歪みがないかを監視することで瞬間的電圧変動やノイズを監視する波形取込部と、それらの監視結果を時刻と関連付けて記録するメモリと、電源監視装置用の電源と、前記メモリと外部とをつなぎ前記メモリのデータを読み出すためのインターフェース部とを備えたことを特徴とする電源監視装置。
【請求項２】
設定したしきい値以上の電圧変動のみを前記メモリに保管するようにしたことを特徴とする請求項１記載の電源監視装置。
【請求項３】
電圧異常の履歴と共に、電圧変動レベルを記録する機能を備えることを特徴とする請求項１または請求項２に記載の電源監視装置。
【請求項４】
電圧異常の履歴と共に、電子回路の誤動作の発生を記録する機能を備えることを特徴とする請求項１から請求項３のいずれかに記載の電源監視装置。
【発明の詳細な説明】
【技術分野】
【０００１】
この発明は、電子機器等の電源電圧の状態を監視するための電源監視装置（回路）に関するものである。
【背景技術】
【０００２】
従来の一般的な電源監視装置（回路）は、監視対象の電源の電圧レベルを観測することにより、電源電圧の異常（電圧低下・電圧上昇）を監視していた。また、異常を検出すると、電子回路を保護するために電源を停止していた。
また、電源電圧の大きさを示すディジタル値から状態検出回路により電源電圧の大きさが予め定められた複数のしきい値の間のどの範囲に属するかを検出し、この状態コードを記憶する電源監視装置（特許文献１参照）もある。
【先行技術文献】
【特許文献】
【０００３】
【特許文献１】特開平０４−１５０７３８号公報（第１図）
【発明の概要】
【発明が解決しようとする課題】
【０００４】
従来の一般的な電源監視装置（回路）は、電子回路に供給する電源の電圧を常時監視して、電圧低下・電圧上昇等の異常の場合に電源停止信号を出力して電源を停止し、電子回路を保護している。このような電源監視装置（回路）では、電圧低下・電圧上昇等の異常は監視できても、瞬間的電圧変動・ノイズ等の瞬時の電源電圧の異常を監視することはできなかった。また、電源異常が発生しても記録しておくことができなかったので、電源異常により回路が誤動作した場合であっても、電源異常が誤動作の発生要因であることを特定することが困難であった。
なお、上述の特許文献１のものでは、電源電圧がどの範囲にあるかを状態コードとして記憶しておき、必要に応じてこのデータを読み出す技術が示されているが、この特許文献１のものは、常に監視を続けているため、データ量が非常に大きくなるという問題点がある。また、瞬間的な電圧変動を検出することが難しいという問題点がある。
【０００５】
この発明は、上記のような課題を解決するためになされたもので、電源電圧の波形を取り込むとともに波形に歪みがないかを監視することで、瞬間的な電圧変動やノイズの異常を検出して電子回路を確実に保護することができる。
【課題を解決するための手段】
【０００６】
この発明に関する電源監視装置は、電子回路に供給される電源を監視することを目的とし、電源の電圧レベルを観測することで電圧低下・電圧上昇を監視する電圧監視部と、電源の波形を取り込むと同時に波形に歪みがないかを監視することで瞬間的電圧変動やノイズを監視する波形取込部と、それらの監視結果を時刻と関連付けて記録するメモリと、電源監視装置用の電源と、メモリと外部とをつなぎメモリのデータを読み出すためのインターフェース部とを備えたことを特徴とする。
【発明の効果】
【０００７】
この発明の電源監視装置によれば、従来の電源監視装置では検出できなかった瞬時の電源電圧の異常を監視することができ、電子回路の確実な保護が図れる。また、電源異常により回路が誤動作した場合は、メモリの電圧異常の履歴を参照することで、電源異常が誤動作の発生要因であることを特定することができる。これにより、効率的なデバッグが可能となる。
【図面の簡単な説明】
【０００８】
【図１】この発明の実施の形態１における電源監視装置の回路図である。
【図２】電源監視装置の電源異常の検出方法を示す波形図である。
【図３】この発明の実施の形態２における電源監視装置の回路図である。
【図４】この発明の実施の形態３における電源監視装置の回路図である。
【図５】この発明の実施の形態４における電源監視装置の回路図である。
【発明を実施するための形態】
【０００９】
実施の形態１．
以下、図を使用して、この発明の実施の形態の電源監視装置（回路）について説明する。
図１は、この発明の実施の形態１の電源監視装置（回路）の構成図を表している。電源１は電子回路２に電源を供給しており、電源を監視する電源監視装置３からの電源停止信号を受けて電源供給を停止する。電源監視装置３は、電圧監視部４、波形取込部５、メモリ６、電源監視装置（回路）用電源７、外部とのインターフェース装置８を備えている。
【００１０】
次に実施の形態１の動作について説明する。電圧監視部４は電圧レベルを観測することにより、電源電圧の異常（電圧低下・電圧上昇）を監視する。波形取込部５は電圧波形を取り込むと同時に波形に歪みがないかを確認することで、瞬間的電圧変動やノイズを監視する。これらの監視結果は、メモリ６に時刻をつけて保管され、インターフェース装置８を介して外部から読み出すことができる。
【００１１】
次に、この発明の電源監視装置が瞬時の電源電圧の異常を監視することができる点について説明する。図２は電源電圧が予め定めた監視電圧以下に低下した場合の電圧波形を示しており、図２（ａ）は予め定めた時間Ｔより長い時間ｔ１だけ監視電圧以下になった場合を、図２（ｂ）は予め定めた時間Ｔより短い時間ｔ２だけ監視電圧以下になった場合を示している。従来の電源監視装置（回路）の電圧異常の検出方法では、電源電圧が予め設定した監視電圧レベル以上、もしくは、設定レベル値以下の期間が一定以上続くと、電源異常と見なして電源回路を保護するために電源を停止するようにしていたので、図２（ｂ）のように瞬間的に電圧が低下した場合には電源異常を検出できなかったが、この発明の電源監視装置では、電源の波形を取込み監視するので、図２（ｂ）のように瞬間的に電圧が低下した場合でも、電源の異常を検出することができる。
【００１２】
この発明の実施の形態１における電源監視装置（回路）によれば、従来の電源監視装置（回路）では検出できなかった瞬時の電源電圧の変動を監視することができ、かつ、電源異常により回路が誤動作した場合、メモリの電圧異常の履歴を参照することで、電源異常が誤動作の発生要因であることを特定することができる。これらにより、デバッグの効率化が図れる。
【００１３】
実施の形態２．
上記の実施の形態１では、全ての瞬時の電源変動をメモリに記録するため、データが膨大な量となり、デバッグ効率を落とす可能性があった。実施の形態２では、設定したしきい値以上の電圧変動のみメモリに保管することで、デバッグ効率の向上を図る。
以下、図３を使用して、この発明の実施の形態２の電源監視装置（回路）について説明する。
この実施の形態２の電源監視装置（回路）は、図１に示す実施の形態１の電源監視装置（回路）に電圧異常判定部９を追加したものである。電圧異常判定部９は、予め設定したしきい値以上の電圧変動だけをメモリに記録する機能を有する。すなわち、電圧監視部４で常時電圧変動を監視しており、電圧の変動が予め設定したしきい値を超えた場合だけ、波形取込部５のデータをメモリ６へ送り、保管するようにしている。
【００１４】
この発明の実施の形態２の電源監視装置（回路）によれば、設定したしきい値以上の電圧変動のみメモリに保管するので、保管するデータ量を増やすことなく、効率的なデバッグが可能となる。
【００１５】
実施の形態３．
上記の実施の形態１、実施の形態２では、電圧異常の履歴を参照した際、電圧異常時にどの程度の電圧変動が発生したかを知ることができなかった。実施の形態３では、電圧異常の履歴に電圧変動のレベルも記録することで、更なるデバッグ性の向上を図る。
【００１６】
図４は、この発明の実施の形態３の電源監視装置（回路）の構成を示す回路図である。図１の実施の形態１の電源監視装置（回路）の構成図に電圧変動レベル測定部１０を追加したものである。電圧変動レベル測定部１０は、電圧変動のレベルを数値化し、電圧異常の履歴と共にメモリに記録する機能を有する。
【００１７】
この発明の実施の形態３の電源監視装置（回路）によれば、デバッグ時に電圧異常の履歴と共に、電圧変動レベルを参照することができるため、より詳細なデバッグが可能となる。
【００１８】
実施の形態４．
上記の実施の形態１、実施の形態２、実施の形態３では、電圧異常の履歴を参照した際、電圧異常発生時にどのような電子回路の誤動作が発生したかを知ることができなかった。実施の形態４では、電圧異常の発生時に電子回路の誤動作を確認し、共に記録することで、デバッグ性の向上を図る。
【００１９】
図５は、この発明の実施の形態４の電源監視装置（回路）の構成である。図１の実施の形態１の電源監視装置（回路）の構成図に誤動作検出機能１１を追加したものである。誤動作検出機能１１は、電子回路２で誤動作が発生したことを検出し、誤動作の状況をメモリに記録する機能を有する。
【００２０】
この発明の実施の形態４の電源監視装置（回路）によれば、デバッグ時にメモリの電圧異常の履歴と共に、電子回路の誤動作を参照することができるため、より詳細なデバッグが可能となる。
【符号の説明】
【００２１】
１  電源、２  電子回路、３  電源監視装置（回路）、４  電圧監視部、５  波形取込部、６  メモリ、７  電源監視装置（回路）用電源、８  外部とのインターフェース部、９  電圧異常判定部、１０  電圧変動レベル測定部、１１  誤動作検出機能。
【図１】
2011174827.tif 000003
【図２】
2011174827.tif 000004
【図３】
2011174827.tif 000005
【図４】
2011174827.tif 000006
【図５】
2011174827.tif 000007